(57)【要約】      （修正有）【課題】物品の自重が物品押え込み力として作用して物品を安定的に支持できると共に、支持した物品の取り出しが容易に行われる物品支持装置を提供する。【解決手段】ベース体２に、支承部３と押え込み部４を対向状態に設け、支承部３と押え込み部４は、ベース体２に対し回動自在に設けると共に、連動機構７を介して連動回動する構成とし、連動機構７に、支承部３を回動始点位置Ｐ１に配すると支承部３と押え込み部４の間に挿脱間隙８が形成され、支承部３を回動終点位置に配すると支承部３と押え込み部４に物品が挟持されるように、支承部３と押え込み部４とを連動回動させる物品挟持機構部９を備え、この物品挟持機構部９は、支承部３に加わる物品の自重が押え込み部４による物品の押え込み力として作用するように構成した。【選択図】図１
2017023351.tif 000002
【特許請求の範囲】
【請求項１】
物品を支承可能な支承部と、この支承部に支承した物品を押え込んで支承部との間に物品を挟持可能な押え込み部とをベース体に対向状態に設け、前記支承部は、第一軸を回動支点として前記ベース体に対し回動自在に設け、前記押え込み部は、前記第一軸と平行な第二軸を回動支点として前記ベース体に対し回動自在に設けると共に、連動機構を介して前記支承部と連動回動するように構成し、この連動機構に、前記支承部を回動させて回動始点位置に配すると、前記押え込み部が連動回動しつつ支承部から離反移動して支承部と押え込み部の間に物品を出し入れ可能な挿脱間隙が形成され、この回動始点位置から支承部を回動させて回動終点位置に配すると、押え込み部が連動回動しつつ支承部に接近移動して支承部と押え込み部に物品が挟持されるように、この支承部と押え込み部とを連動回動せしめる物品挟持機構部を備えると共に、この物品挟持機構部は、前記支承部が前記回動終点位置に配して支承部と前記押え込み部とで物品を挟持した際に、この支承部に加わる物品の自重が押え込み部による物品の押え込み力として作用するように構成したことを特徴とする物品支持装置。
【請求項２】
前記連動機構は、前記支承部と前記押え込み部とを、前記第一軸及び前記第二軸と平行な連結軸を回動支点として互いに回動自在に連結することにより支承部と押え込み部とが連動回動する構成とし、前記物品挟持機構部は、前記連動機構を介した前記支承部と前記押え込み部の連動回動量に差が生じるように前記第一軸，前記第二軸及び前記連結軸を配置して、この支承部と押え込み部の連動回動量の差により、支承部を回動させて前記回動始点位置に配すると、押え込み部が連動回動しつつ支承部から離反移動して支承部と押え込み部の間に物品を出し入れ可能な前記挿脱間隙が形成され、この回動始点位置から支承部を回動させて前記回動終点位置に配すると、押え込み部が連動回動しつつ支承部に接近移動して支承部と押え込み部に物品が挟持されるように構成したことを特徴とする請求項１記載の物品支持装置。
【請求項３】
前記物品挟持機構部は、前記第一軸と前記連結軸との支点間距離を、前記第二軸と連結軸との支点間距離より長く設定することにより、前記支承部の回動量に対し前記連動機構を介して連動回動する前記押え込み部の回動量が大きくなるように構成し、この支承部と押え込み部の連動回動量の差により、支承部を回動させて前記回動始点位置に配すると、押え込み部が連動回動しつつ支承部から離反移動して支承部と押え込み部の間に物品を出し入れ可能な前記挿脱間隙が形成され、この回動始点位置から支承部を回動させて前記回動終点位置に配すると、押え込み部が連動回動しつつ支承部に接近移動して支承部と押え込み部に物品が挟持されるように構成したことを特徴とする請求項２記載の物品支持装置。
【請求項４】
前記ベース体に、前記支承部と前記押え込み部とを上下対向状態に設け、この支承部は、前記第一軸を回動支点として前記ベース体に対し所定範囲起伏回動自在に設け、この支承部は、起動限位置を前記回動始点位置とすると共に、伏動限位置を前記回動終点位置とし、前記押え込み部は、前記第二軸を回動支点として前記ベース体に対し起伏回動自在に設け、前記物品挟持機構部は、前記回動始点位置にある支承部に物品を支承し支承部を伏動回動して前記回動終点位置に配すると、押え込み部が連動回動しつつ支承部に接近移動するように伏動回動して支承部と押え込み部に物品が挟持されると共に、回動終点位置に配した支承部に加わる物品の自重が押え込み部による物品の押え込み力として作用するように構成したことを特徴とする請求項１〜３のいずれか１項に記載の物品支持装置。
【発明の詳細な説明】
【技術分野】
【０００１】
本発明は、例えば、調理器具収納用ラックなどに用いることで、鍋やフライパンなどの調理容器を簡単に支持して収納したり取り出したりすることができる物品支持装置に関するものである。
【背景技術】
【０００２】
出願人は、鍋やフライパンなどの調理容器の収納ラックを開発し、特許出願（特許文献１参照）している。
【０００３】
この特許文献１を簡単に説明すると、固定枠体と、調理器具を支持して水平方向に移動可能な複数の移動支持枠と、前記固定枠体に固定され、前記移動支持枠を水平方向に案内可能な二本のガイドレールとを有し、また、この移動支持枠は、水平方向に互いに間隙を持って並行して配置し、夫々が調理容器の外周輪郭形状に近似した形状とされた二本以上の棒状支持部を含み、この棒状支持部は、それらの間の間隙に前理容器のフランジ部を挿入して前記調理容器を横倒しの状態で支持し得るように構成し、更に、複数の移動支持枠は、複数種類の調理容器の中の小径の調理容器の一部が他の大径の調理容器内に収容可能となるように配置している。
【先行技術文献】
【特許文献】
【０００４】
【特許文献１】特開２０１２−９０７１９号公報
【発明の概要】
【発明が解決しようとする課題】
【０００５】
本発明は、上記特許文献１のような調理容器の収納ラックとしても使用可能であり、物品の自重が物品押え込み力として作用して調理容器などの物品を安定的に支持できると共に、支持した物品の取り出しも容易に行われる実用性に優れた物品支持装置を提供するものである。
【課題を解決するための手段】
【０００６】
添付図面を参照して本発明の要旨を説明する。
【０００７】
物品１を支承可能な支承部３と、この支承部３に支承した物品１を押え込んで支承部３との間に物品１を挟持可能な押え込み部４とをベース体２に対向状態に設け、前記支承部３は、第一軸５を回動支点として前記ベース体２に対し回動自在に設け、前記押え込み部４は、前記第一軸５と平行な第二軸６を回動支点として前記ベース体２に対し回動自在に設けると共に、連動機構７を介して前記支承部３と連動回動するように構成し、この連動機構７に、前記支承部３を回動させて回動始点位置Ｐ１に配すると、前記押え込み部４が連動回動しつつ支承部３から離反移動して支承部３と押え込み部４の間に物品１を出し入れ可能な挿脱間隙８が形成され、この回動始点位置Ｐ１から支承部３を回動させて回動終点位置Ｐ２に配すると、押え込み部４が連動回動しつつ支承部３に接近移動して支承部３と押え込み部４に物品１が挟持されるように、この支承部３と押え込み部４とを連動回動せしめる物品挟持機構部９を備えると共に、この物品挟持機構部９は、前記支承部３が前記回動終点位置Ｐ２に配して支承部３と前記押え込み部４とで物品１を挟持した際に、この支承部３に加わる物品１の自重が押え込み部４による物品１の押え込み力として作用するように構成したことを特徴とする物品支持装置に係るものである。
【０００８】
また、前記連動機構７は、前記支承部３と前記押え込み部４とを、前記第一軸５及び前記第二軸６と平行な連結軸10を回動支点として互いに回動自在に連結することにより支承部３と押え込み部４とが連動回動する構成とし、前記物品挟持機構部９は、前記連動機構７を介した前記支承部３と前記押え込み部４の連動回動量に差が生じるように前記第一軸５，前記第二軸６及び前記連結軸10を配置して、この支承部３と押え込み部４の連動回動量の差により、支承部３を回動させて前記回動始点位置Ｐ１に配すると、押え込み部４が連動回動しつつ支承部３から離反移動して支承部３と押え込み部４の間に物品１を出し入れ可能な前記挿脱間隙８が形成され、この回動始点位置Ｐ１から支承部３を回動させて前記回動終点位置Ｐ２に配すると、押え込み部４が連動回動しつつ支承部３に接近移動して支承部３と押え込み部４に物品１が挟持されるように構成したことを特徴とする請求項１記載の物品支持装置に係るものである。
【０００９】
また、前記物品挟持機構部９は、前記第一軸５と前記連結軸10との支点間距離を、前記第二軸６と連結軸10との支点間距離より長く設定することにより、前記支承部３の回動量に対し前記連動機構７を介して連動回動する前記押え込み部４の回動量が大きくなるように構成し、この支承部３と押え込み部４の連動回動量の差により、支承部３を回動させて前記回動始点位置Ｐ１に配すると、押え込み部４が連動回動しつつ支承部３から離反移動して支承部３と押え込み部４の間に物品１を出し入れ可能な前記挿脱間隙８が形成され、この回動始点位置Ｐ１から支承部３を回動させて前記回動終点位置Ｐ２に配すると、押え込み部４が連動回動しつつ支承部３に接近移動して支承部３と押え込み部４に物品１が挟持されるように構成したことを特徴とする請求項２記載の物品支持装置に係るものである。
【００１０】
また、前記ベース体２に、前記支承部３と前記押え込み部４とを上下対向状態に設け、この支承部３は、前記第一軸５を回動支点として前記ベース体２に対し所定範囲起伏回動自在に設け、この支承部３は、起動限位置を前記回動始点位置Ｐ１とすると共に、伏動限位置を前記回動終点位置Ｐ２とし、前記押え込み部４は、前記第二軸６を回動支点として前記ベース体２に対し起伏回動自在に設け、前記物品挟持機構部９は、前記回動始点位置Ｐ１にある支承部３に物品１を支承し支承部３を伏動回動して前記回動終点位置Ｐ２に配すると、押え込み部４が連動回動しつつ支承部３に接近移動するように伏動回動して支承部３と押え込み部４に物品１が挟持されると共に、回動終点位置Ｐ２に配した支承部３に加わる物品１の自重が押え込み部４による物品１の押え込み力として作用するように構成したことを特徴とする請求項１〜３のいずれか１項に記載の物品支持装置に係るものである。
【発明の効果】
【００１１】
本発明は上述のように構成したから、回動始点位置に配した支承部に対して物品を容易に出し入れでき、支承部に物品を支承して回動終点位置に配するだけで、物品を支承部と押え込み部とで挟持して支持でき、しかも支承部に加わる物品の自重が押え込み部による物品の押え込み力として作用するので、物品の挟持（支持）状態を安定的に維持できると共に、強い挟持力が必要になる自重の大きい物品ほどこの挟持状態が安定することになるなど、極めて実用性に優れた物品支持装置となる。
【００１２】
また、請求項２記載の発明においては、支承部と押え込み部とを連動回動させる連動機構と、支承部を回動始点位置に配した際に物品の挿脱間隙が形成され支承部を回動終点位置に配した際に物品を支承部と押え込み部とで挟持できて支承部に加わる物品の自重が押え込み部による物品の押え込み力として作用する物品挟持機構部とを、簡易構成により容易に設計実現可能となる一層実用性に優れた構成の物品支持装置となる。
【００１３】
また、請求項３記載の発明においては、前記作用効果を確実に発揮する物品挟持機構部を簡易構成により容易に設計実現可能となる一層実用性に優れた構成の物品支持装置となる。
【００１４】
また、請求項４記載の発明においては、支承部に加わる物品の自重が押え込み部による物品の押え込み力として作用する前記物品挟持機構部を簡易構成にして容易に設計実現可能となる一層実用性に優れた構成の物品支持装置となる。
【図面の簡単な説明】
【００１５】
【図１】本実施例を示す、支承部を回動始点位置に配した状態の斜視図である。
【図２】図１の別角度からの斜視図である。
【図３】本実施例を示す分解斜視図である。
【図４】図１，図２に続いて、支承部を回動始点位置と回動終点位置の中間点に配した状態を示す斜視図である。
【図５】図４に続いて、支承部を回動終点位置に配した状態を示す斜視図である。
【図６】図１の側面図である。
【図７】図４の側面図である。
【図８】図５の側面図である。
【図９】本実施例の支承部と押え込み部とで鍋の側壁部を挟持支持した状態を示す説明正面図である。
【図１０】本実施例を用いて構成した調理器具収納ラックを示す斜視図である。
【図１１】本実施例を用いて構成した調理器具収納ラックに、複数の鍋を支持した状態を示す斜視図である。
【図１２】本実施例を用いて構成した調理器具収納ラックを、引出し内に設けたキッチンキャビネットを示す斜視図である。
【発明を実施するための形態】
【００１６】
好適と考える本発明の実施形態を、図面に基づいて本発明の作用を示して簡単に説明する。
【００１７】
第一軸５を回動支点として支承部３をベース体２に対し回動させて回動始点位置Ｐ１に位置させると、連動機構７を介して押え込み部４が前記第一軸５と平行な第二軸６を回動支点としてベース体２に対し連動回動するが、この際、連動機構７に設けた物品挟持機構部９により、押え込み部４が支承部３から離反移動するように回動移動して支承部３と押え込み部４の間に物品１を出し入れ可能な挿脱間隙８が形成されるので、この挿脱間隙８に物品１を挿入して支承部３に支承することができる。
【００１８】
物品１を支承した支承部３を回動させて回動終点位置Ｐ２に位置させると、連動機構７を介して押え込み部４が連動回動しつつ物品挟持機構部９により押え込み部４が支承部３に接近移動するように回動移動し、支承部３に支承した物品１が押え込み部４に押え込まれて（支承部３と押え込み部４に物品１が挟持されて）本発明の物品支持装置Ａに物品１が支持されることになる。
【００１９】
また、この際、物品挟持機構部９により、この支承部３に加わる物品１の自重が押え込み部４による物品１の押え込み力として作用するので、物品１の挟持（支持）状態が安定的に維持されることとなり、物品１の自重が大きければ大きいほど強力な挟持力を発揮してこの支持状態が安定することになる。
【００２０】
挟持状態の物品１を物品支持装置Ａから取り出したい時は、支承部３を回動させて回動始点位置Ｐ１に位置させると、押え込み部４が支承部３から離反移動して再び前記挿脱間隙８が形成されるので、この挿脱間隙８から物品１を取り出すことができる。
【実施例】
【００２１】
本発明の具体的な実施例について図面に基づいて説明する。
【００２２】
本実施例の物品支持装置Ａは、物品１として鍋11やフライパンなどの調理容器１を支持可能な調理容器支持装置Ａに適用した場合を示している。
【００２３】
具体的には、本実施例の物品支持装置Ａは、図１，図２に示すように、ベース体２に、物品１としての調理容器１（図面は丸型鍋11を示しており、以下、本実施例では、物品１を鍋11と称して説明する。）を支承可能な支承部３と、この支承部３に支承した鍋11を押え込んで支承部３との間に鍋11を挟持可能な押え込み部４とを上下対向状態に設けた構成としている。
【００２４】
ベース体２は、図２，図３に示すように、平面視コ字枠状に形成し、その両端枠部を後述するガイドレール32に装着するスライド脚部12とすると共に、中間枠部を前記支承部３及び前記押え込み部４取付用の取付用台座部13としている。以下、本実施例では、このベース体２の両端のスライド脚部12の対向方向を左右方向とし、これと直交するスライド脚部12の長さ方向を前後方向とし、且つベース体２の各スライド脚部12の先端側を前側（中間枠部を後側）と定めて説明する。
【００２５】
また、取付用台座部13は、図３に示すように、前記ベース体２の中間枠部を上方へ膨出する形状に形成したこの膨出部分で構成し、この取付用台座部13の上端部左右に、左右方向に孔長を有する第一軸受孔14を形成すると共に、この第一軸受孔14よりやや下側後方位置に、第一軸受孔14と平行な孔長を有する第二軸受孔15を形成している。
【００２６】
前記支承部３と前記押え込み部４とは、図１〜図３に示すように、いずれも平面視方形板状であって、鍋11の湾曲側壁部と同調するように左右方向の中間部が最も下方に向かって突出する湾曲板状体に形成している。
【００２７】
また、支承部３は、中ほどに段差部16を有し、側面視でこの段差部16を介して基端側より先端側が一段高くなる形状に形成し、この段差部16より先端側をその上面側に前記鍋11の側壁部の外壁面を載置支承可能な支承板部17としている。
【００２８】
また、この支承板部17には、上面の左右両側に他の上面より上方へ凸出する凸条を形成して、この両側の凸条部を鍋11の側壁部の外壁面を二点（二本の線）で支承する支承凸部18とすると共に、この各支承凸部18の上面に、この支承凸部18に沿って帯状の滑り止め材19を付設して、この両側の滑り止め材19により支承板部17上に鍋11の外壁面を二点の線接触で安定的に載置支承でき、且つ二点支承によりどのような径寸法のものも安定的に載置支承可能な構成としている。
【００２９】
また、この支承部３は、前記段差部16より基端側を平面視コ字状に形成して、その左右両端部を軸支アーム20とすると共に、この左右の軸支アーム20は、その対向間隔が前記取付用台座部13の左右幅より広幅な対向間隔を有する形状に形成している。
【００３０】
この支承部３の、前記ベース体２への取り付け構造は、支承部３の基端側の途中部を、第一軸５によりベース体２に回動自在に枢着した構成としている。
【００３１】
更に詳しくは、支承部３の前記段差部16より軸支アーム20側を後端側とし、この左右の軸支アーム20の夫々の付け根付近に回動軸受部21を上方へ突設すると共に、この各回動軸受部21に軸支孔22を貫通形成した構成とし、前記取付用台座部13の左右外側に軸支アーム20を配して前記第一軸受孔14と前記軸支孔22とを連通させ、この連通させた第一軸受孔14と軸支孔22とに外方から前記第一軸５としての軸ピン５を挿通して軸ピン５の挿通先端を第一軸受孔14に固定することにより、この左右の軸ピン５を回動支点としてベース体２に対し支承部３を起伏回動自在に取り付けた構造としている。
【００３２】
また、この支承部３は、その左右の軸支アーム20の下面が前記取付用台座部13の中ほどの左右部に一体的に設けた側面視ヘ字状のストッパ面部23に当接することによって回動範囲が制限されるように構成すると共に、この支承部３の回動範囲は、支承部３が水平に対し約４０度上方へ起動傾斜した傾斜状態（軸支アーム20の下面がストッパ面部23の傾斜面に当接した状態）から、水平下方へ伏動した水平状態（軸支アーム20の下面がストッパ面部23の水平面に当接した状態（０度の状態））までの間で回動し得るようにストッパ面部23を構成し、本実施例では、この支承部３の回動起動限である傾斜位置を回動始点位置Ｐ１とし、回動伏動限である水平位置を回動終点位置Ｐ２と規定している。
【００３３】
また、前記押え込み部４は、その前後長さ寸法を、支承部３の前後長さの１／２程度となる前後長さ寸法に設定し、基端部（後端部）付近に段差部24を有して、側面視でこの段差部24を介して後端側より前側が一段高くなる形状に形成し、この段差部24より前側をその下面で前記鍋11の内周側面を押え込み可能な押え込み板部25としている。
【００３４】
また、押え込み板部25には、下面の左右両側に他の下面より下方へ凸出する凸条を形成して、この両側の凸条部を鍋11の側壁部の内壁面を二点（二本の線）で押え込む押え込み凸部26とし、この両側の押え込み凸部26により鍋11の内壁面を二点の線接触で安定的に押え込みでき、且つ二点でどのような径寸法のものに対しても安定的に押え込み可能な構成としている。
【００３５】
即ち、図９に示すように、前記二点の支承凸部18と前記二点の押え込み凸部26との合計四点の線接触で鍋11の側壁部を上下（内外）から挟持支持できるように構成しているもので、これにより径の大小（側壁部の曲率の大小）にかかわらず、鍋11の側壁部を安定的に挟持して支持可能となる。
【００３６】
この押え込み部４の、前記ベース体２への取り付け構造は、押え込み部４の基端側（後端側）の途中部を第二軸６によりベース体２に回動自在に枢着した構成としている。
【００３７】
更に詳しくは、押え込み部４は、前記段差部24より後端側の左右下部に軸支片部27を一体的に垂設し、この左右の軸支片部27は、その対向間隔が前記取付用台座部13の左右幅より広幅で且つ前記左右の軸支アーム20の左右対向間隔より狭幅な対向間隔を有する形状に形成すると共に、この左右の軸支片部27に軸支孔28を貫通形成した構成とし、前記取付用台座部13の左右外側であって前記左右の軸支アーム20の内側に前記軸支片部27を配して前記第二軸受孔15と前記軸支孔28とを連通させ、この連通させた第二軸受孔15と軸支孔28とに外方から第二軸６としての軸ピン６を挿通して軸ピン６の挿通先端を第二軸受孔15に固定することにより、この左右の軸ピン６を回動支点としてベース体２に対し押え込み部４を前記支承部３の上方側で起伏回動自在となるように取り付けた構造としている。
【００３８】
また、この押え込み部４は、前記段差部24の下方に存する前記軸支片部27に前記第一軸５に上方から嵌脱自在に被嵌する切り欠き状の被嵌ストッパ29を設けて、この被嵌ストッパ29が第一軸５に被嵌することと、支承部３の前記軸支アーム20の下面が前記ストッパ面部23の水平面に当接することにより、押え込み部４が水平状態以上に下方へ伏動回動しない（回動規制される）構成としている。
【００３９】
また、この押え込み部４は、被嵌ストッパ29が第一軸５に被嵌して水平状態となった際に、その前記押え込み板部25が、前記回動終点位置Ｐ２に配して水平状態となった前記支承部３の支承板部17との間に、鍋11の側壁部の厚み幅と略同等若しくは鍋11の側壁部の厚み幅より小さい小間隙を介在するように第一軸５と前記第二軸６との配置を設定構成し、この際の押え込み板部25と支承板部17とで鍋11の側壁部を挟持して前記支承凸部18と前記押え込み凸部26とによる四点支持により鍋11を横置き（横倒し）状態で支持し得る横型装置構造の物品支持装置Ａを構成している。
【００４０】
また、本実施例は、支承部３と押え込み部４とを同方向に連動回動させる連動機構７を備えている。
【００４１】
この連動機構７は、前記支承部３の基端部（後端部）と前記押え込み部４の基端部（後端部）とを、前記第一軸５及び前記第二軸６と平行な連結軸10を回動支点として互いに回動自在に連結することにより支承部３と押え込み部４とが連動回動する構成としている。
【００４２】
更に詳しくは、支承部３の前記左右の軸支アーム20の夫々の後端部に、この支承部３の前後方向に沿った長さを有する連結孔30を貫通形成する一方、この連結孔30に連通させる連通孔31を、前記左右の軸支片部27の前記軸支孔28より後側位置に貫通形成し、この連通孔31を前記連結孔30に連通させた上で、この連結孔30と連通孔31とに外側（連結孔30側）から前記連結軸10としての軸ピン10を挿通して軸ピン10の挿通先端を連通孔31に固定することにより、この左右の軸ピン10を回動支点として支承部３と押え込み部４とを互いに回動自在に連結し且つ軸ピン10が長孔状の連結孔10に許容される範囲で支承部３と押え込み部４とが互いに移動可能となる構造としている。
【００４３】
本実施例は、この連動機構７に、前記支承部３を回動させて前記回動始点位置Ｐ１に配すると、前記押え込み部４が連動回動しつつ支承部３から離反移動して支承部３と押え込み部４の間に鍋11を出し入れ可能な挿脱間隙８が形成され、この回動始点位置Ｐ１から支承部３を回動させて前記回動終点位置Ｐ２に配すると、押え込み部４が連動回動しつつ支承部３に接近移動して支承部３と押え込み部４に鍋11が挟持されるように、この支承部３と押え込み部４とを連動回動せしめる物品挟持機構部９を備えると共に、この物品挟持機構部９は、前記支承部３が前記回動終点位置Ｐ２に配して支承部３と前記押え込み部４とで鍋11を挟持した際に、この支承部３に加わる鍋11の自重が押え込み部４による鍋11の押え込み力として作用するように構成している。
【００４４】
具体的には、物品挟持機構部９は、前記連動機構７を介した前記支承部３と前記押え込み部４の連動回動量に差が生じるように前記第一軸５，前記第二軸６及び前記連結軸10を配置設定している。
【００４５】
更に詳しくは、前記第一軸５と前記連結軸10との支点間（軸間）距離を、前記第二軸６と連結軸10との支点間（軸間）距離より長く設定することにより、前記支承部３の回動量に対し前記連動機構７を介して連動回動する前記押え込み部４の回動量が大きくなるように構成し、この支承部３と押え込み部４の連動回動量の差により、支承部３を回動させて前記回動始点位置Ｐ１に配すると、押え込み部４が連動回動しつつ徐々に支承部３から離反するように回動移動して支承部３と押え込み部４の間に鍋11を出し入れ可能な前記挿脱間隙８が形成され（図１，図２，図６参照）、この挿脱間隙８に鍋11の上部開口縁を挿入して側壁部の外壁面を支承部３（の支承凸部18）に当接支承させ、鍋11を下方へ押し下げるように操作することにより、回動始点位置Ｐ１から支承部３を前記回動終点位置Ｐ２に向けて回動させると、押え込み部４が連動回動しつつ徐々に支承部３（に支承された鍋11の側壁部の内壁面）に接近するように回動移動していき（図４，図７参照）、支承部３が回動終点位置Ｐ２に配すると、支承部３と押え込み部４に鍋11が挟持されることになる（図５，図８参照）構成としている。
【００４６】
そして、この回動終点位置Ｐ２では、鍋11の自重が支承部３に加わり、この支承部３に加わる鍋11の自重が連動機構７（物品挟持機構部９）を介してそのまま押え込み部４による鍋11の押え込み力として作用するので、鍋11の挟持（支持）状態が安定的に維持されることとなり、鍋11の自重が大きければ大きいほど強力な挟持力を発揮してこの支持状態が安定することになる。
【００４７】
尚、図示していないが、支承部３に鍋11を支承していない時にこの支承部３を回動始点位置Ｐ１に自動復帰させる付勢手段を設けても良く、このようにすると、支承部３から鍋11を取り出した際に、支承部３が回動始点位置Ｐ１に自動復帰回動して鍋11の支持待ち受け状態となるので実用的となる。この場合、付勢手段は鍋11の自重より弱い付勢力を発揮するものとする。
【００４８】
本実施例は、このように構成した物品（調理容器）支持装置Ａを、長尺なガイドレール32に、前記スライド脚部12を介して複数体（図面は四体）スライド移動自在に組み込むことで、複数の鍋11を収納可能な調理器具収納ラックＲを構成し（図１０，図１１参照）、この調理器具収納ラックＲをキッチンキャビネットＣの引出し36内に設けた場合を示している（図１２参照）。
【００４９】
また、ガイドレール32について説明すると、長手方向の左右両側に前記スライド脚部12をスライド自在に嵌合可能なガイド溝33を片側上下二段ずつ設け、このガイドレール32の長さ方向に並設状態にして物品支持装置Ａを組み込みが、この際、並設する物品支持装置Ａ同士が上段のガイド溝33と下段のガイド溝33とに交互に組み込むようにすることで夫々のスライド移動範囲を広く確保している。図中符号34はガイドレール32の開口端部を閉塞するレールキャップ、35はガイドレール32端部に設けた大径鍋11を載置（横置き）可能な鍋置部である。
【００５０】
また、図面の調理器具収納ラックＲは、複数の物品支持装置Ａが夫々異なる高さの前記取付用台座部13を具備するものとして、径の小さい鍋11は高い取付用台座部13を具備する物品支持装置Ａに支持し、径の大きい鍋11は低い取付用台座部13を具備する物品支持装置Ａに支持することにより、径の小さい鍋11と径の大きい鍋11とを略同心の関係に支持でき、隣接する鍋11同士を接近スライド移動すると、径の小さい鍋11が径の大きい鍋11内にネスティングされて収納空間をコンパクト化できる構成としている。
【００５１】
尚、本発明は、本実施例で示した調理容器１の支持装置に限られるものではなく、他の様々な物品１の支持装置にも適用可能である。また、各構成要件の具体的構成についても適宜設計し得るものである。
【００５２】
例えば、支承部３の先端部と押え込み部４の先端部とが回動終点位置Ｐ２で垂下する構造（本実施例で示した物品支持装置Ａを、その前端側が下方を向くように９０度回転させたような構造（支承部３が回動終点位置Ｐ２で垂直（縦）に配設する縦型装置構造）を採用して、物品１が下方へ吊下げ状態に支持される物品支持装置Ａを構成しても良い（この場合、支承部３に加わる物品１の自重が物品の押え込み力として作用することによって、物品１は下方へ落下することなく挟持状態で吊下げられる。）。例えば、この縦型装置構造にあっては、俎板を水切りしつつ吊下げ収納できたり、小物収納箱をその側壁を支承部３と押え込み部４とで挟持することによって吊下げできるような物品支持装置Ａを構成可能である。
【符号の説明】
【００５３】
１  物品
２  ベース体
３  支承部
４  押え込み部
５  第一軸
６  第二軸
７  連動機構
８  挿脱間隙
９  物品挟持機構部
10  連結軸
Ｐ１  回動始点位置
Ｐ２  回動終点位置
【図１】
2017023351.tif 000003
【図２】
2017023351.tif 000004
【図３】
2017023351.tif 000005
【図４】
2017023351.tif 000006
【図５】
2017023351.tif 000007
【図６】
2017023351.tif 000008
【図７】
2017023351.tif 000009
【図８】
2017023351.tif 000010
【図９】
2017023351.tif 000011
【図１０】
2017023351.tif 000012
【図１１】
2017023351.tif 000013
【図１２】
2017023351.tif 000014